(57)【要約】【課題】保温機能を向上させた飲料容器を提供する。【解決手段】外容器１と、外容器１の内部に収容な内容器２を備え、外容器１の中に液体を入れた状態で内容器２を収容し液体を冷凍させた後、内容器２内に飲料を入れて冷却可能な飲料用容器において、外容器１は、第１外容器部材１１と第２外容器部材１２が真空層を挟んで二重構造に形成されていることを特徴とする。【選択図】図２
0003198698.tif 000002
【実用新案登録請求の範囲】
【請求項１】
外容器と、外容器の内部に収容な内容器を備え、外容器の中に液体を入れた状態で内容器を収容し前記液体を冷凍させた後、内容器内に飲料を入れて冷却可能な飲料用容器において、
前記外容器は、第１外容器部材と第２外容器部材が真空層を挟んで二重構造に形成されていることを特徴とする飲料用容器。
【請求項２】
前記外容器と内容器は、容器上部に形成されたネジにより連結可能であることを特徴とする請求項１に記載の飲料用容器。
【請求項３】
前記内容器の口部は、外側へ折り返した折り返し部を有し、前記外容器の口部は外径が本体部よりも小さく形成されており、外容器の口部に前記折り返し部が嵌まり込むように構成されていることを特徴とする請求項１又は２に記載の飲料用容器。
【請求項４】
前記折り返し部の奥に前記外容器の口部先端が当接する弾性体が設けられていることを特徴とする請求項３に記載の飲料用容器。
【請求項５】
前記内容器の底面になめらかな凸部が形成されていることを特徴とする請求項１〜４のいずれか１項に記載の飲料用容器。
【考案の詳細な説明】
【技術分野】
【０００１】
本考案は、外容器と、外容器の内部に収容な内容器を備え、外容器の中に液体を入れた状態で内容器を収容し前記液体を冷凍させた後、内容器内に飲料を入れて冷却可能な飲料用容器に関する。
【背景技術】
【０００２】
かかる飲料用容器として、下記特許文献１に開示される熱冷飲料用容器が知られている。この飲料用容器は、内容器と外容器とからなり、内容器を外容器の中に収容することができ、内容器と外容器の内面間は空間を有し、ここに水を充填して凍らせた状態にし、その状態で内容器に飲料を入れることで冷えた飲料を得ることができる。
【先行技術文献】
【特許文献】
【０００３】
【特許文献１】実用新案登録３１５０７６０号
【考案の概要】
【考案が解決しようとする課題】
【０００４】
しかしながら、上記先行技術に係る飲料用容器は、外容器も内容器も一般的な構成であり、保温機能が十分ではないという課題があった。
【０００５】
本考案は上記実情に鑑みてなされたものであり、その課題は、保温機能を向上させた飲料容器を提供することである。
【課題を解決するための手段】
【０００６】
上記課題を解決するため本考案に係る飲料用容器は、
外容器と、外容器の内部に収容な内容器を備え、外容器の中に液体を入れた状態で内容器を収容し前記液体を冷凍させた後、内容器内に飲料を入れて冷却可能な飲料用容器において、
前記外容器は、第１外容器部材と第２外容器部材が真空層を挟んで二重構造に形成されていることを特徴とするものである。
【０００７】
かかる構成による飲料容器の作用・効果を以下説明する。この飲料用容器は、外容器と内容器により構成されるが、液体が入れられる外容器は、第１外容器部材と第２外容器部材の真空二重構造になっている。従って、外容器に液体を入れて凍らせた場合、真空二重構造による保温機能により、低温を維持することができる。従って、従来に比べて保温機能を向上させることができる。
【０００８】
本考案において、前記外容器と内容器は、容器上部に形成されたネジにより連結可能であることが好ましい。
【０００９】
ネジにより連結することで、外容器と内容器を確実に一体化することができ、また、分離することも容易になる。
【００１０】
本考案において、前記内容器の口部は、外側へ折り返した折り返し部を有し、前記外容器の口部は外径が本体部よりも小さく形成されており、外容器の口部に前記折り返し部が嵌まり込むように構成されていることが好ましい。
【００１１】
内容器に折り返し部を設けることで、これを外容器の口部に嵌め込むことができ、外容器と内容器を安定した状態で一体化することができる。
【００１２】
本考案において、前記折り返し部の奥に前記外容器の口部先端が当接する弾性体が設けられていることが好ましい。
【００１３】
かかる弾性体を設けることで、外容器と内容器の間に形成される空間の密封性を良くすることができる。また、内容器を外容器に収容したときの感触も向上させることができる。
【００１４】
本考案において、前記内容器の底面になめらかな凸部が形成されていることが好ましい。これにより、内容器にビールを入れたときの泡立ち性を良くすることができる。
【図面の簡単な説明】
【００１５】
【図１】飲料用容器の外観を示す斜視図
【図２】飲料用容器の内部構造を示す断面図
【図３】外容器の構成を示す断面図
【図４】内容器の構成を示す断面図
【図５】飲料用容器の使用例を示す図
【図６】考案の効果を示すグラフ
【考案を実施するための形態】
【００１６】
本考案に係る飲料用容器の好適な実施形態を図面を用いて説明する。図１は飲料用容器の外観を示す斜視図である。図２は、飲料用容器の内部構造を示す断面図である。図３は、外容器の構成を示す断面図である。図４は、内容器の構成を示す断面図である。
【００１７】
＜飲料用容器の構成＞
各図に示すように、飲料用容器は、外容器１と内容器２により構成される。外容器１と内容器２は、いずれもステンレスにより形成されるが、材質については特定のものに限定されるものではない。外容器１は、第１外容器部材１１と第２外容器部材１２により構成される。
【００１８】
外側に位置する第１外容器部材１１は、本体部１１ａと口部１１ｂにより構成され、口部１１ｂの外径は、本体部の上面部の外径に比べて小さくなっている。内側に位置する第２外容器部材１２は、本体部１２ａと口部１２ｂとネジ部１２ｃを有し、第１外容器部材１１の口部１１ｂの先端と第２外容器部材１２の口部１２ｂの先端は、溶接等により結合されている。ネジ部１２ｃは、本体部１２ａの上部及び口部１２ｂの下部に位置する。第２外容器部材１２の底に近い位置に指標１２ｄが形成されている。
【００１９】
外容器１は第１外容器部材１１と第２外容器部材１２の二重構造であるが、これらの間に形成される空間は真空になるように形成される。第１外容器部材１１の底には凹部１１ｃが形成されており、この凹部１１ｃを利用して真空処理を行うが、真空層を形成する工程については公知の方法を使用することができる。真空二重構造にすることで、保温機能を高めることができる。
【００２０】
図４に示すように、内容器２は本体部２０と折り返し部２１とネジ部２２を有する。折り返し部２３は、内容器２の上部（口部）において、外側に折り返したような形状になっており、これにより、嵌合凹部２３が形成される。折り返し部２１の下部にネジ部２２が形成され、このネジ部２２は、外容器１のネジ部１２ｃと螺合可能である。折り返し部２１の外径は、第１外容器部材１１の本体部１１ａの上部の外径とほぼ同一になるように設定されている。これにより、デザイン的な一体感を出すことができる。
【００２１】
嵌合凹部２３の奥にはゴムパッキン３（弾性体に相当）が挿入される（図２参照）。このゴムパッキン３はリング状に形成され、断面は略Ｃ字形である。このゴムパッキン３のＣ字形の凹部に、外容器１の口部１１ｂ，１２ｂが嵌まり込むことができる。これにより、外容器１と内容器２は、その内部空間Ｓ（図２参照）を密封した状態で一体的に結合することができる。
【００２２】
内容器２の底部には上方に突出した凸部２４を有する。凸部２４はなめらかな形状を有しており、この凸部２４を有することでビールを入れたときの泡立ち性がよくなる。
【００２３】
＜飲料用容器の使用例＞
つぎに、本考案に係る飲料用容器の使用例を図５により説明する。図５（ａ）に示すように、外容器１の中に水を指標１２ｄの位置まで入れる（例えば、約８０ｍｌ）。次に、（ｂ）に示すように、外容器１の口部１１ｂにパッキン３を取り付ける。その後、内容器２を外容器１の中に収容する。内容器２を回しながら収容することで、外容器１１のネジ部１２ｃと内容器２のネジ部２２が螺合してしっかりと結合される。
【００２４】
つぎに、（ｃ）に示すように、飲料用容器を逆さまにした状態で、冷凍庫で１２時間以上保存する。これにより、空間Ｓ（図２参照）に入れた水が氷る。すなわち、外容器１の内面と内容器２の外面の間の空間Ｓに氷層が形成される。飲料用容器を逆さまにしても、パッキン３により密封されているので、水が漏れてくることはない。
【００２５】
氷層が形成された飲料用容器に例えばビールを注ぐことで、ビールを急速に冷やすことができ、その状態を長時間維持することができる。図６は、その効果を示すグラフである。このグラフは、室温２５℃±２℃において、缶ビール３５０ｍｌ（４℃±１℃）をそれぞれの容器に注いだときの温度の推移を比較して示すものである。
【００２６】
Ａは通常のガラス製の容器にビールを注いだ場合、Ｂは通常のステンレス製の容器にビールを注いだ場合、Ｃは本考案に係る飲料用容器にビールを注いだ場合の温度の推移を示す線である。Ａ，Ｂでは時間が経過するにつれて徐々に温度が上昇しているが、Ｃ（本考案）の場合、約１分後には１．４℃まで低下し、５分経過後も１℃を維持している。これにより、長時間低温を維持することができ、ビールをおいしく味わうことができる。
【００２７】
＜別実施形態＞
本考案に係る飲料用容器は、ビール以外の飲料を嗜む場合にも利用することができる。例えば、ジュースやお茶を飲む場合にも利用することができる。本考案に係る飲料用容器の外容器１は単独でもマグボトルとして使用することができる。また、内容器２も単独で通常のカップとして使用することができる。
【符号の説明】
【００２８】
Ｓ          空間
１          外容器
２          内容器
３          ゴムパッキン
１１        第１外容器部材
１１ａ      本体部
１１ｂ      口部
１２        第２外容器部材
１２ａ      本体部
１２ｂ      口部
１２ｃ      ネジ部
２０        本体部
２１        折り返し部
２２        ネジ部
２３        嵌合凹部
２４        凸部
【図１】
0003198698.tif 000003
【図２】
0003198698.tif 000004
【図３】
0003198698.tif 000005
【図４】
0003198698.tif 000006
【図５】
0003198698.tif 000007
【図６】
0003198698.tif 000008